(57)【要約】【課題】  従来の乱流式無菌手術室は、手術台上の手術部位近傍の空間において換気効率の悪い滞留域が形成され、この滞留域に微生物粒子を含む可能性のある浮遊微粒子が残留していた。また、手術に際して使用する手術器具を手術台上のテーブルに並べ置くことも有り、手術器具が滞留域に暴露されるという問題があった。【解決手段】  移動用キャスターを備えた転倒防止脚に支柱を取り付け、左右の支柱間に層流の清浄空気を供給するファンフィルターユニットを上下角度調整ができるよう連結し、層流の清浄空気を必要とする局所を跨ぐように配置して、直上または上方より局所へ向けて層流の清浄空気を供給できるようにした。また、左右の支柱間に脱着可能な棚板を取り付け、層流の清浄空気を棚板に向けて供給し、清浄棚としても使用できるようにした。【選択図】  図１
2006150327.tif 000002
【特許請求の範囲】
【請求項１】
移動用キャスターを備えた転倒防止脚に支柱を取り付け、左右の支柱間に層流の清浄空気を供給するファンフィルターユニットを上下角度調整ができるよう連結し、層流の清浄空気を必要とする局所を跨ぐように配置して、直上または上方より局所へ向けて層流の清浄空気を供給できることを特徴とする自立型局所清浄空気供給装置
【請求項２】
左右の支柱間に脱着可能な棚板を取り付け、ファンフィルターユニットの上下角度調整により層流の清浄空気を棚板に向けて供給し、清浄棚としても使用できるよう棚板を設けたことを特徴とする請求項１の自立型局所清浄空気供給装置
【発明の詳細な説明】
【技術分野】
【０００１】  本発明は局所に層流の清浄空気を供給するための移動可能な自立型清浄空気供給装置に関する。
【背景技術】
【０００２】  従来の清浄空気供給装置には、清浄空気を供給するファンフィルターユニットを伸縮自在、方向自在のパイプスタンドに取り付けられたものがある（例、特許文献１参照。）。
【特許文献１】  特開２０００−３１６９６２
【発明の開示】
【発明が解決しようとする課題】
【０００３】  従来の無菌手術室は、清浄空気を供給する吹出し口が手術台上の天井面に二箇所設置され、吸込み口は手術室の四隅床近傍の壁面に設けられた乱流式が一般的である。【０００４】  この場合、手術台配置に対して吹出し口が左右対称または前後対称に配置されているときには、手術台上の手術部位近傍の空間において換気効率の悪い滞留域が形成される。この滞留域に微生物粒子を含む可能性のある浮遊微粒子が残留していた。【０００５】  また、手術に際して使用する手術器具を手術台上のテーブルに並べ置くことも有り、手術器具が滞留域に暴露されるという問題があった。
【課題を解決するための手段】
【０００６】  上記課題を解決する請求項１記載の本発明は、移動用キャスターを備えた転倒防止脚に支柱を取り付け、左右の支柱間に層流の清浄空気を供給するファンフィルターユニットを上下角度調整ができるよう連結し、層流の清浄空気を必要とする局所を跨ぐように配置して、直上または上方より局所へ向けて層流の清浄空気を供給できるようにした。【０００７】  また、請求項２記載の本発明は、左右の支柱間に脱着可能な棚板を取り付け、ファンフィルターユニットの上下角度調整により層流の清浄空気を棚板に向けて供給し、清浄棚としても使用できるよう棚板を設けたものである。
【発明の効果】
【０００８】  従来の手術室や無菌手術室には、手術台上方に天井懸架式の無影燈や手術顕微鏡が設置されていることが多く、手術に支障がないよう手術台上方にクリーンブースを配置し、直上または上方からの最も好ましい層流の清浄空気を手術部位局所及び手術部位近傍に供給することは困難であった。【０００９】  また、従来の清浄空気を供給するファンフィルターユニットを伸縮自在、方向自在のパイプスタンドに取り付けられた清浄空気供給装置も直下または下方への清浄空気供給には、該ファンフィルターユニットの支持パイプスタンドによって、手術台上の位置に配置することができなかった。【００１０】  本発明は手術に支障がないよう直上または上方より、手術部位局所及び手術部位近傍へ層流の清浄空気を供給することができ、手術部位近傍に形成される微生物粒子を含む可能性のある浮遊微粒子の滞留域を消滅させる効果がある。【００１１】  また、手術に際して使用する手術器具を本発明の清浄棚に並べ置くことにより、手術器具が微生物粒子を含む可能性のある浮遊微粒子の滞留域に暴露され、汚染されることを防止する効果があり、医療だけでなく清浄な空気環境下に置く必要のある物品にたいしても有効であるとともに、清浄棚に載せることができないものや移動できないものでも、清浄棚を取り外すことができ必要な場所に移動できるので効果的に清浄空気を供給できる。【００１２】  さらに、本発明の自立型局所清浄空気供給装置の供給する層流の清浄空気により、無菌手術室でない手術室や一般室で行われる手術に際しても、手術部位局所に好ましい空気清浄度が得られ、供給する清浄空気によって室内全体の空気清浄度が向上する効果もある。【００１３】  経済的効果について記載すると、無菌手術室でない手術室や乱流式の無菌手術室を滞留域の発生しない鉛直下降の層流の清浄空気による無菌手術室に改造するには、長い工期と多額の費用が必要となる上に高額の維持管理費が必要であるが、本発明の自立型局所清浄空気供給装置は、工事は無く安価で維持管理費も小額で済む。
【発明を実施するための最良の形態】
【００１４】  本発明の自立型局所清浄空気供給装置について実施するための最良の形態としては、図１に示すように移動用キャスター１を備えた転倒防止脚２に支柱３を取り付け、左右の支柱上端を梁４の両端に頑丈に固定する。【００１５】  層流１４の清浄空気を供給するファンフィルターユニット６は、左右の支柱３上方に設けられた支持金物５に上下方向に角度調整ができるよう連結し、運転操作が容易にできるようファンフィルターユニット６の正面下部に操作スイッチ７及び角度調整用の取っ手８を設ける。【００１６】  清浄棚９は左右の支柱３のなかほどに脱着可能に取り付け、棚板としては層流１４の清浄空気流をなるべく阻害しないよう開口率５０％以上の多孔板または強度に支障のない金属網を使用することが好ましい。【００１７】  また、層流１４の清浄空気流を阻害しにくい棚板であるので、清浄棚９を複数段設けることにより、より多くの物品を並べ置くことができるようになる。【００１８】  あるいは、該ファンフィルターユニット６を水平に角度調節をして、周囲に帯電防止ビニルシートを取り付けて清浄棚９を周囲雰囲気より隔離することによって、微生物粒子を含む可能性のある浮遊微粒子からの汚染にたいして、より有効な清浄保管棚の機能をもたすこともできる。【００１９】  次にファンフィルターユニット６としては図２に示すように、該ファンフィルターユニット６の筐体背面の粗塵を除去する不織布のプレフィルター１０より室内空気１５がファン１１により吸引され、筐体内部のメインフィルター１２に送られて微細な浮遊微粒子がろ過された後に、筐体正面の多孔の整流板１３を通過することにより層流１４の清浄空気として供給されるようにする。【００２０】  プレフィルター１０としては、なるべくフィルター圧損の少ないものが好ましい。【００２１】  ファン１１としては、薄型のプレートファンまたは機器組み込み用の薄型シロッコファンを使用する。【００２２】  メインフィルター１２としては、粒径０．３ミクロン以上の浮遊微粒子を９９．９７％以上捕集するＨＥＰＡフィルターを使用する。または、粒径０．１ミクロン以上の浮遊微粒子を９９．９９９％以上捕集するＵＬＰＡフィルターとしても良い。また、メインフィルター１２は薄型のものを使用することが好ましい。【００２３】  整流板１３としては多孔板を使用するが、開口率２０％から３０％程度のものを使用することが好ましい。【００２４】  本体材質としては、水分や薬液にたいして錆びにくいステンレスのＳＵＳ３０４とすることが好ましい。【００２５】  本発明の自立型局所清浄空気供給装置を使用するにあたり、清浄棚９を使用しつつ局所に上方より層流１４の清浄空気を供給するときは、図３に示すように層流１４の清浄空気流が清浄棚９及び局所を満たすように該ファンフィルターユニット６の上下角度を調整する。【００２６】  あるいは、清浄な空気環境下に置く必要のあるものを清浄棚９に載せることのできないときで直上より鉛直下降の層流１４の清浄空気が必要なときは、図４に示すように清浄棚９を取り外して該自立型局所清浄空気供給装置を移動し、ファンフィルターユニット６の上下角度を水平に調整して局所に鉛直下降の層流１４の清浄空気を満たす���うにする。【００２７】  また、非常用の清浄空気供給装置として使用するならば、バッテリー運転可能な電源装置を該自立型局所清浄空気供給装置に組み込むことも可能である。
【図面の簡単な説明】
【００２８】
【図１】  本発明の自立型局所清浄空気供給装置の外観を示した鳥瞰図である。
【図２】  ファンフィルターユニットの空気動線及び構成を示した断面図である。
【図３】  自立型局所清浄空気供給装置の使用状態を示した側面図である。
【図４】  自立型局所清浄空気供給装置の使用状態を示した側面図である。
【符号の説明】
【００２９】  １    移動用キャスター                  ９    清浄棚
２    転倒防止脚                        １０  プレフィルター
３    支柱                              １１  ファン
４    梁                                １２  メインフィルター
５    支持金物                          １３  整流板
６    ファンフィルターユニット          １４  層流
７    操作スイッチ                      １５  室内空気
８    取っ手
【図１】
2006150327.tif 000003
【図２】
2006150327.tif 000004
【図３】
2006150327.tif 000005
【図４】
2006150327.tif 000006